(57)【特許請求の範囲】
【請求項１】
現金を入金、出金する入出金口と、
金種毎に備えられた、出金時には上記入出金口から出金するための現金を繰り出し、入金時には上記入出金口から入金された現金を収納し、さらに現金の補充が可能なリサイクルスタッカと、
複数金種を一時的に格納すると共に、収納された現金を繰り出し可能に構成された混合スタッカと、
上記混合スタッカに格納される複数の金種の中で、リサイクルしない金種が設定される第１の手段と、
上記入出金口から入金された現金のうち上記第１の手段に設定されたリサイクルしない金種と判別された現金を上記混合スタッカに収納し、上記混合スタッカから繰り出した現金の金種が上記第１の手段に設定されたリサイクルしない金種と判断された現金を混合スタッカに戻し、上記第１の手段に設定されずリサイクルする金種と判別された現金を上記リサイクルスタッカに収納するよう制御する制御手段と
を備えたことを特徴とする現金自動取引装置。
【請求項２】
着脱自在に構成され、現金を収納する回収カセットを備え、
上記制御手段は、
回収カセットの有無を判断し、カセットが装置に装着されていない場合には上記入出金口から入金された現金のうち上記第１の手段に設定されたリサイクルしない金種を上記混合スタッカに収納し、カセットが装置に装着されている場合には上記入出金口から入金された現金のうち上記第１の手段に設定されたリサイクルしない金種を上記回収カセットに回収するように制御することを特徴とする請求項１記載の現金自動取引装置。
【請求項３】
上記制御手段は、上記混合スタッカ内の現金が満杯と判断した場合には、装置を休止することを特徴とする請求項１あるいは請求項２記載の現金自動取引装置。
【発明の詳細な説明】
【０００１】
【発明の属する技術分野】
本発明は、リサイクルしない金種を効率的に回収する現金自動取引装置に関するものである。
【０００２】
【従来の技術】
従来、現金自動取引装置は、金種毎のリサイクル可能なリサイクルスタッカ、金種毎に別れていない混合スタッカ、リサイクルしない回収カセット、不良品を入れる回収リジェクトなどを備えている。
【０００３】
出金等の装置から現金を出す場合、リサイクルスタッカから繰り出す。
入金等の装置に現金が入る場合、リサイクルスタッカに収納する。リサイクルスタッカに入りきらなかった現金は、混合スタッカまたは回収カセットに収納する。
【０００４】
装置に補充する場合、補充カセットからリサイクルスタッカに現金を補充する。リサイクルスタッカに入りきらなかった現金は、混合スタッカまたは回収カセットに収納する。
【０００５】
入金等で外から入ってきた現金を出金等で装置から外に出したくない場合、リサイクル可能な金種か否かを金種毎に設定し、リサイクル不可の金種が入ってくると、金種毎のリサイクルスタッカに収納せずに、直接に回収カセットに収納する。この際、リサイクル不可の金種の現金を運用リジェクトに収納してもよいが、その場合、運用リジェクトの収容容量が少ないために複数の金種をリサイクル不可とすると運用リジェクトフル（満杯）の発生確率が高くなり、それだけ装置の休止率が高くなるので、随時脱着可能な回収カセットに回収する運用を行っている。また、回収カセットが無い場合、混合スタッカに収納する。混合スタッカは補充時などにリサイクルスタッカに入りきらなかった現金も収納することがあるため、混合スタッカ内でリサイクル不可の現金と、リサイクル可の現金とが混ざってしまうために、混合スタッカはリサイクル不可としていた。また、混合スタッカをリサイクル可とした場合には、リサイクル可能な金種か否かの設定を行うことができなかった。
【０００６】
【発明が解決しようとする課題】
上述したように、現金自動取引装置は、入金等で外部から入ってきた現金を出金などで装置から外部に出したくない場合、リサイクル可能な金種（逆に言えば、リサイクル不可の金種）か否かを金種毎に設定すると、混合スタッカをリサイクルにできないという問題があった。
【０００７】
本発明は、これらの問題を解決するため、現金自動取引装置において、混合スタッカの内部状態として外部からリサイクル不可の金種の収納の有無を金種毎に持たせ、当該有無の情報をもとに回収カセットに収納あるいは混合スタッカに戻したり、リサイクルカセットに収納したりし、外部から入ってきたリサイクル不可の金種のみを効率的に回収などすることを目的としている。
【０００８】
【課題を解決するための手段】
図１を参照して課題を解決するための手段を説明する。
図１において、リサイクルスタッカ７は、金種毎に備えられた、出金時には入出金口２から出金するための現金を繰り出し、入金時には入出金口２から入金された現金を収納し、さらに現金の補充が可能なスタッカである。
【０００９】
混合スタッカ８は、複数金種を一時的に格納すると共に、収納された現金を繰り出し可能に構成されたスタッカである。
回収カセット９は、着脱自在に構成され、回収を行う現金を収納するカセットである。
【００１０】
制御手段２２は、各種制御を行うものである。
次に、動作を説明する。
制御手段２２は、入出金口２から入金された現金のうち予め設定されたリサイクルしない金種と判別された現金を混合スタッカ８に収納し、混合スタッカ８から繰り出した現金の金種が予め設定されたリサイクルしない金種と判断された現金を混合スタッカ８に戻し、予め設定されずリサイクルする金種と判別された現金をリサイクルスタッカ７に収納するよう制御している。
【００１１】
この際、着脱自在に構成され、現金を収納する回収カセット９を備え、制御手段２２は、回収カセット９の有無を判断し、カセットが装置に装着されていない場合には入出金口２から入金された現金のうち予め設定されたリサイクルしない金種を混合スタッカ８に収納し、カセットが装置に装着されている場合には入出金口２から入金された現金のうち予め設定されたリサイクルしない金種を回収カセット９に回収するようにしている。
【００１２】
また、制御手段２２は、混合スタッカ８内の現金が満杯と判断した場合には、装置を休止するようにしている。
【００１３】
従って、現金自動取引装置において、混合スタッカ８の内部状態として外部からリサイクル不可の金種の収納の有無の情報を金種毎に持たせ、当該有無の情報をもとに回収カセット９に収納あるいは混合スタッカ８に戻したり、リサイクルカセット７に収納したりすることにより、外部から入ってきたリサイクル不可の金種のみを効率的に回収などすることが可能となる。
【００１４】
【発明の実施の形態】
次に、図１から図４を用いて本発明の実施の形態および動作を順次詳細に説明する。
【００１５】
図１は、本発明のシステム構成図を示す。
図１において、リサイクルユニット０は、外部から入金された現金を再利用（リサイクル）するものであって、ここでは、１から１３などから構成されるものである。
【００１６】
シャッタ１は、外部から現金を入金したり、内部から外部へ現金を出金したりする入出金口２を開いたり、閉じたりするものである。
入出金口２は、外部から現金を入金したり、内部から外部へ現金を出したりする部分である。
【００１７】
繰り出し部３は、入出金口２に現金を出したり、取り込んで鑑別部３’に搬送したりするものである。
鑑別部３’は、現金の金種や真偽を鑑別するものである。
【００１８】
補充カセット部４は、リサイクルスタッカ７に補充する現金を収納するものであって、例えば異なる金種の現金を混在して収納するものである。
一次保留部５は、鑑別部３’で鑑別された後の現金を保留するものである。
【００１９】
―次保留ベルト部６は、一次保留部５で保留されなかった現金を保留するものである。
リサイクルスタッカ７は、出金する現金を金種毎に収納するものであって、ここでは、一次保留部５に保留された現金を収納するものである。
【００２０】
混合スタッカ８は、一次保留ベルト部６に保留された現金を収納するものである。
回収カセット９は、混合スタッカ８に収納された現金のうち、リサイクル不可と判明した現金を収納するものである。回収カセット９は、ユニット内の現金を回収するカセットで、着脱可能である。
【００２１】
取り忘れ部１０は、顧客が入出金口２に入金（投入）したり、出金したりしたときに取り出すことを忘れた現金を収納するものである。
運用リジェクト１１は、運用中に鑑別して不良などと判明した現金を収納（
排出）するものである。
【００２２】
補充リジェクト１２は、補充時に鑑別して不良などと判明した現金を収納（
排出）するものである。
異物返却エレベータ１３は、入出金口２に投入された異物（例えばクリップ）を返却するために一時的に格納するものである。
【００２３】
制御装置２１は、プログラムに従い各種制御を行うものであって、後述する図２のフローチャートに示す処理を行うものであり、制御手段２２および情報２３などから構成されるものである。
【００２４】
制御手段２２は、情報２３をもとに各種処理を行うものであって、後述する図２のフローチャートに従い各種処理を行うものである。
情報２３は、混合スタッカ８の内部状態として、リサイクル不可の金種の情報、および外部からリサイクル不可の金種の現金の収納の有無の情報を設定したものであって、後述する図３に示す情報を設定したものである。
【００２５】
次に、図２のフローチャートの順番に従い図１の構成の動作を詳細に説明する。
図２は、本発明の動作説明フローチャートを示す。これは、５００円硬貨をリサイクル不可として情報に設定した場合を例に図１の構成の動作を説明したものである。
【００２６】
図２において、Ｓ１は、リサイクル不可現金の設定を行う。ここでは、金種５００円硬貨をリサイクル不可現金と設定、例えば後述する図３の情報２３中の
0003953701.tif 000002
とそれぞれ設定し、外部から入金された金種５００円を混合スタッカ内（あるいは回収カセット）に回収し、リサイクルスタッカ７には収納しない旨（モード）に設定できたこととなる。
【００２７】
Ｓ２は、取引として出金要求があった場合、リサイクルスタッカ７から要求の有った金種の現金を繰り出す。そして、次の取引を待つ。
Ｓ３は、補充カセット４から補充する旨の要求があった場合、補充カセット４から取り出した金種の現金を該当する金種のリサイクルスタッカ７に収納し、補充する。
【００２８】
Ｓ４は、リサイクルスタッカがフル（満杯）か判別する。ＹＥＳの場合には、Ｓ５に進む。ＮＯの場合には、補充カセット４から取り出した金種の現金をリサイクルスタッカ７に収納して補充完了したので、次の取引を待つ。
【００２９】
Ｓ５は、Ｓ４のＹＥＳでリサイクルスタッカ７がフル（満杯）と判明したので、混合スタッカ８に現金を収納する。
Ｓ６は、混合スタッカ８がフル（満杯）か判別する。ＹＥＳの場合には、混合スタッカ８がフル（満杯）であると判明したので、Ｓ７に進む。ＮＯの場合には、混合スタッカ８に現金を収納できたので、次の取引を待つ。
【００３０】
Ｓ７は、Ｓ６のＹＥＳで混合スタッカ８がフル（満杯）と判明したので、休止にするか判別する。ＹＥＳの場合には、装置を休止にする。ＮＯの場合には、Ｓ８に進む。
【００３１】
Ｓ８は、回収カセット９がありか判別する。ＹＥＳの場合には、Ｓ９で回収カセット９に現金を収納し、次の取引を待つ。ＮＯの場合には、装置を休止にする。
【００３２】
以上のＳ３からＳ９によって、補充カセット４から現金を取り出して該当金種のリサイクルスタッカ７に収納して補充したり、リサイクルスタッカ７がフル（満杯）のときは混合スタッカ８に収納、更に、混合スタッカ８がフル（満杯）のときは回収カセット９に収納することが可能となる。
【００３３】
Ｓ１１は、取引として入金があった場合、５００円か判別する。これは、入金された現金を鑑別してその金種がリサイクル不可と設定された金種５００円か判別する。ＹＥＳの場合には、入金された現金の金種がリサイクル不可金種と判明したので、Ｓ１２に進む。一方、ＮＯの場合には、既述したＳ３に進む。
【００３４】
Ｓ１２は、Ｓ１１のＹＥＳで入金された現金がリサイクル不可金種と判明したので、回収カセット９がありか判別する。ＹＥＳの場合には、Ｓ１３に進む。ＮＯの場合には、Ｓ１５に進む。
【００３５】
Ｓ１３は、Ｓ１２で回収カセット９がありと判明したので、回収カセット９に入金されたリサイクル不可金種の現金を収納して回収し、Ｓ１４に進む。
Ｓ１４は、混合スタッカ８にリサイクル不可５００円が０なら情報をクリアする（後述する図３の外部からの現金収納有の欄の「リサイクル不可」をクリア「（リサイクル可」にリセットし、混合スタッカ８内に外部からの当該金種の現金の収納が無い状態である旨を設定）する。そして、次の取引を待つ。
【００３６】
Ｓ１５は、Ｓ１２で回収カセット９がなしと判明したので、混合スタッカ８に収納し、リサイクル不可現金情報セット（後述する図３の外部からの現金収納有の欄の「リサイクル可」をセット「（リサイクル不可」にセットし、混合スタッカ８内に外部からの当該金種の現金の収納が有り状態である旨を設定）する。
【００３７】
Ｓ１６は、混合スタッカがフル（満杯）か判別する。ＹＥＳの場合には、装置を休止する。ＮＯの場合には、次の取引を待つ。
以上のＳ１１からＳ１６によって、外部から入金された現金の金種がリサイクル不可金種であった場合、回収カセット９があればこれに収納し、なければ混合スタッカ８に収納することが可能になると共に、混合スタッカ８に外部から入金されたリサイクル不可金種の現金が収納されていなく０のときは、図３の情報２３中の外部からの現金収納有りの欄に「リサイクル可」とリセットし、一方、外部から入金されたリサイクル不可金種の現金が収納されたときは、図３の情報２３中の外部からの現金収納有りの欄に「リサイクル不可」とセットすることが可能となる。
【００３８】
Ｓ１７は、取引として混合スタッカ８から繰り出してリサイクルスタッカ７に収納する要求があった場合、リサイクル不可金種の５００円か判別する。これは、混合スタッカ８から取り出して鑑別した金種が、リサイクル不可金種の５００円か判別する。ＹＥＳの場合には、Ｓ１２に進み、回収カセット９があればそれに収納して回収し、なければ混合スタッカ８に戻す。一方、Ｓ１７のＮＯの場合には、Ｓ３に進み、リサイクルスタッカ７に収納などする。
【００３９】
以上のＳ１７、およびＳ３からＳ９、あるいはＳ１２からＳ１６によって、混合スタッカ８から繰り出した現金の金種がリサイクル不可の５００円であった場合には、回収カセット９に収納、回収カセット９がなけれ混合スタッカ８に戻すなどし、一方、リサイクル不可金種でない場合にはリサイクルスタッカ７に補充などすることが可能となる。
【００４０】
図３は、本発明の混合スタッカのリサイクル不可の情報例を示す。これは、図１の混合スタッカ８内の現金の金種の状態の情報を設定した例であって、ここでは、図示の
0003953701.tif 000003
のように設定する。例えば
0003953701.tif 000004
と設定した状態では、リサイクル不可金種が５００円で、混合スタッカ８内に外部から入金された５００円が収納されていてリサイクル不可となる。この情報の設定に対応して、既述した図２のＳ１７のＹＥＳ，Ｓ１２からＳ１６によって、混合スタッカ８から繰り出した５００円の現金は、リサイクルスタッカ７に収納することなく、回収カセット９に収納されて回収され、回収カセットがセットされていないときは混合スタッカ８に戻されることとなり、外部に繰り出されることが無い。
【００４１】
図４は、本発明の自動預金支払機構成図を示す。
図４において、ＤＯＣ系ユニット３１は、カードユニット３２および通帳ユニット３３から構成されるものである。
【００４２】
カードユニット３２は、入出金に関するカードの読み取り、書き込みを行うものである。
通帳ユニット３３は。入出金に関する通帳の読み取り、磁気テープの読み取りや書き込み、通帳への印刷などを行うものである。
【００４３】
紙幣ユニット３４は、紙幣を入出金するものである。
制御部３５は、全体を統括制御するものである。
対センタ又はターミナルコントローラ３６は、回線を介して接続して各種情報の確認要求や残高の照会などを行うものである。
【００４４】
遠隔監視装置３７は、自動預金支払機を回線を介して監視するものである。
顧客操作部（ＵＯＰ）３８は、自動預金支払機を顧客が操作して入出金するものであって、画面を表示するカラーディスプレイ、画面上に表示して各種操作確認やデータ入力するタッチキーボード、各種操作の案内や確認ボタンの押下を促す音声ガイダンス、顧客が自動預金支払機に近ずいたときに画面を表示などする顧客センサなどから構成されるものである。
【００４５】
管理操作部（ＭＯＰ）３９は、管理者が各種操作を行うためのものであって、ＩＤカードシステム、管理者用の各種操作画面を表示する液晶ディスプレイ、管理用の各種データや指示を入力するキーボードなどから構成されるものである。ここで、管理者が管理者用のカードをカードシステムに挿入して正当権限のある管理者と認められたときに電磁ロック／電磁ロック制御に指示して自動預金支払機の裏側などの管理者用の扉を開放したりなどするものである。
【００４６】
ハードディスク装置４０は、各種データやプログラムを格納するものである。フロッピィディスク装置４１は、フロッピィディスクを読み書きするものである。
【００４７】
電源部４２は、全体の電源を供給するものである。
硬貨ユニット５１は、図１のリサイクルユニット０として、硬貨ユニット５１に適用したときの要部の構成を抽出したものであって、入出金口２、鑑別部３’、補充カセット４、リサイクルスタッカ７、混合スタッカ８、回収カセット９、取忘れ部１０、リジェクト部１１、および異物返却エレベータ１３などから構成されるものである。
【００４８】
【発明の効果】
以上説明したように、本発明によれば、現金自動取引装置において、混合スタッカ８の内部状態として外部からリサイクル不可の金種の収納の有無の情報を金種毎に持たせ、当該有無の情報をもとに回収カセット９に収納あるいは混合スタッカ８に戻したりする構成を採用しているため、外部から入ってきたリサイクル不可の金種のみを効率的に回収できる。
【００４９】
さらに、ある金種の偽造現金が出回った場合に、万が一偽造現金が装置に入ってしまっても、その金種をリサイクルしない金種に指定することにより、該当金種を装置から繰り出さないようにガードすることができ、偽造現金放出によるトラブルを防ぐことができる。
【図面の簡単な説明】
【図１】本発明のシステム構成図である。
【図２】本発明の動作説明フローチャートである。
【図３】本発明の混合スタッカのリサイクル不可の情報例である。
【図４】本発明の自動預金支払機構成図である。
【符号の説明】
０：リサイクルユニット
１：シャッタ
２：入出金口
３：繰り出し部
３’：鑑別部
４：補充カセット
７：リサイクルスタッカ
８：混合スタッカ
９：回収カセット
１１：運用リジェクト
１３：異物返却エレベータ
２１：制御装置
２２：制御手段
２３：情報
５１：硬貨ユニット
【図１】
0003953701.tif 000005
【図２】
0003953701.tif 000006
【図３】
0003953701.tif 000007
【図４】
0003953701.tif 000008